【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
複数の光電変換部と、複数の電荷保持部と、を有する単位画素セルを備え、
前記単位画素セルは、
各々が前記複数の光電変換部の一部である、第１光電変換部及び第２光電変換部と、
各々が前記複数の電荷保持部の一部である、第１電荷保持部、第２電荷保持部及び第３電荷保持部と、
前記第１光電変換部と前記第１電荷保持部との間の電気的経路に設けられた第１転送部と、
前記第１光電変換部と前記第３電荷保持部との間の電気的経路に設けられた第２転送部と、
前記第２光電変換部と前記第２電荷保持部との間の電気的経路に設けられた第３転送部と、
前記第２光電変換部と前記第３電荷保持部との間の電気的経路に設けられた第４転送部と、を有し、
前記第１電荷保持部、前記第２電荷保持部及び前記第３電荷保持部に対して接続可能な全ての光電変換部の個数が、前記第１電荷保持部、前記第２電荷保持部及び前記第３電荷保持部の個数である３よりも少ない
ことを特徴とする光電変換装置。
【請求項２】
第１光電変換部と、
前記第１光電変換部に接続された第１転送部及び第２転送部と、
前記第１転送部に接続され、前記第１光電変換部で生成された信号電荷が転送される第１電荷保持部と、
第２光電変換部と、
前記第２光電変換部に接続された第３転送部及び第４転送部と、
前記第３転送部に接続され、前記第２光電変換部で生成された信号電荷が転送される第２電荷保持部と、
前記第２転送部及び前記第４転送部に接続され、前記第１光電変換部で生成された信号電荷及び前記第２光電変換部で生成された信号電荷が転送される第３電荷保持部と
を有する単位画素セルを有し、
前記第１電荷保持部の第１の容量及び前記第２電荷保持部の第２の容量は、前記第３電荷保持部の第３の容量よりも小さい
ことを特徴とする光電変換装置。
【請求項３】
前記第２転送部及び前記第４転送部は、前記第３電荷保持部を挟んで対向するように配置されている
ことを特徴とする請求項１又は２記載の光電変換装置。
【請求項４】
前記第１光電変換部及び前記第２光電変換部は、長方形の形状を有し、
前記第１転送部及び前記第２転送部は、前記第１光電変換部の前記長方形の対向する短辺にそれぞれ配置されており、
前記第３転送部及び前記第４転送部は、前記第２光電変換部の前記長方形の対向する短辺にそれぞれ配置されている
ことを特徴とする請求項１乃至３のいずれか１項に記載の光電変換装置。
【請求項５】
前記単位画素セルは、
前記第１電荷保持部に転送された信号電荷に応じた電気信号を出力する第１信号出力部と、
前記第２電荷保持部に転送された信号電荷に応じた電気信号を出力する第２信号出力部と、
前記第３電荷保持部に転送された信号電荷に応じた電気信号を出力する第３信号出力部と、を更に有する
ことを特徴とする請求項１乃至４のいずれか１項に記載の光電変換装置。
【請求項６】
前記第１光電変換部と前記第２光電変換部とは、第１方向に沿って配置されている
ことを特徴とする請求項１乃至５のいずれか１項に記載の光電変換装置。
【請求項７】
第１方向及び前記第１方向と交差する第２方向に沿って２次元アレイ状に配列された複数の前記単位画素セルを有する
ことを特徴とする請求項１乃至６のいずれか１項に記載の光電変換装置。
【請求項８】
前記第１光電変換部と前記第２光電変換部とは、第１方向に沿って配置された位置から、前記第２方向に互いに半ピッチずらして配されている
ことを特徴とする請求項７記載の光電変換装置。
【請求項９】
各々が前記第１方向に延在する複数の信号出力線を有し、
前記複数の信号出力線のそれぞれは、前記第１方向に配列された複数の前記単位画素セルに接続されている
ことを特徴とする請求項８記載の光電変換装置。
【請求項１０】
各々が前記第２方向に延在する、複数の第１制御線、複数の第２制御線、複数の第３制御線及び複数の第４制御線と、
前記複数の第１制御線、前記複数の第２制御線、前記複数の第３制御線及び前記複数の第４制御線に接続された制御部とを更に有し、
前記複数の第１制御線のそれぞれは、前記第２方向に配列された複数の前記単位画素セルの前記第１転送部に接続され、
前記複数の第２制御線のそれぞれは、前記第２方向に配列された複数の前記単位画素セルの前記第２転送部に接続され、
前記複数の第３制御線のそれぞれは、前記第２方向に配列された複数の前記単位画素セルの前記第３転送部に接続され、
前記複数の第４制御線のそれぞれは、前記第２方向に配列された複数の前記単位画素セルの前記第４転送部に接続されており、
前記制御部は、前記第２転送部及び前記第４転送部を同時に駆動するように構成されている
ことを特徴とする請求項８又は９記載の光電変換装置。
【請求項１１】
前記第１光電変換部及び前記第２光電変換部は、それらの中心が前記第１方向及び前記第２方向に対してそれぞれ等間隔になるように配置されている
ことを特徴とする請求項８乃至１０のいずれか１項に記載の光電変換装置。
【請求項１２】
複数の前記単位画素セルが第１方向及び前記第２方向に沿って２次元アレイ状に配列されてなる第１センサ部及び第２センサ部を有し、
それぞれの前記単位画素セルにおいて、前記第１光電変換部と前記第２光電変換部とは、前記第１方向に沿って配置されており、
前記第１センサ部と前記第２センサ部とは、前記第２方向に沿って配置されている
ことを特徴とする請求項８乃至１１のいずれか１項に記載の光電変換装置。
【請求項１３】
前記単位画素セルに接続された出力線と、
前記第１電荷保持部から転送される信号電荷に基づく信号を出力する第１の信号出力部と、
前記第２電荷保持部から転送される信号電荷に基づく信号を出力する第２の信号出力部と、
前記第３電荷保持部から転送される信号電荷に基づく信号を出力する第３の信号出力部と、を更に有し、
前記第１の信号出力部、前記第２の信号出力部及び前記第３の信号出力部は、同じ前記出力線に接続されている
ことを特徴とする請求項１乃至１２のいずれか１項に記載の光電変換装置。
【請求項１４】
請求項１２記載の光電変換装置と、
被写体からの像を前記光電変換装置の前記第１センサ部及び前記第２センサ部にそれぞれ結像する光学系と、
前記第１センサ部から出力された信号及び前記第２センサ部から出力された信号に基づき前記被写体との間の距離を算出する演算部と、
前記演算部により算出された前記被写体との間の前記距離に基づき、撮像面に合焦するように前記光学系を制御する光学系制御部と
を有することを特徴とする撮像システム。
【手続補正２】
【補正対象書類名】明細書
【補正対象項目名】０００８
【補正方法】変更
【補正の内容】
【０００８】
本発明の一観点によれば、複数の光電変換部と、複数の電荷保持部と、を有する単位画素セルを備え、前記単位画素セルは、各々が前記複数の光電変換部の一部である、第１光電変換部及び第２光電変換部と、各々が前記複数の電荷保持部の一部である、第１電荷保持部、第２電荷保持部及び第３電荷保持部と、前記第１光電変換部と前記第１電荷保持部との間の電気的経路に設けられた第１転送部と、前記第１光電変換部と前記第３電荷保持部との間の電気的経路に設けられた第２転送部と、前記第２光電変換部と前記第２電荷保持部との間の電気的経路に設けられた第３転送部と、前記第２光電変換部と前記第３電荷保持部との間の電気的経路に設けられた第４転送部と、を有し、前記第１電荷保持部、前記第２電荷保持部及び前記第３電荷保持部に対して接続可能な全ての光電変換部の個数が、前記第１電荷保持部、前記第２電荷保持部及び前記第３電荷保持部の個数である３よりも少ない光電変換装置が提供される。
また、本発明の他の一観点によれば、第１光電変換部と、前記第１光電変換部に接続された第１転送部及び第２転送部と、前記第１転送部に接続され、前記第１光電変換部で生成された信号電荷が転送される第１電荷保持部と、第２光電変換部と、前記第２光電変換部に接続された第３転送部及び第４転送部と、前記第３転送部に接続され、前記第２光電変換部で生成された信号電荷が転送される第２電荷保持部と、前記第２転送部及び前記第４転送部に接続され、前記第１光電変換部で生成された信号電荷及び前記第２光電変換部で生成された信号電荷が転送される第３電荷保持部とを有する単位画素セルを有し、前記第１電荷保持部の第１の容量及び前記第２電荷保持部の第２の容量は、前記第３電荷保持部の第３の容量よりも小さい光電変換装置が提供される。